(57)【要約】【課題】  表示特性を向上させることができるバックライト組立体及びこれを有する液晶表示装置を提供する。【解決手段】  バックライト組立体及びこれを有する液晶表示装置によると、第１底面と第１側壁を具備する第１収納容器に第１側壁と向き合うように光を発生するランプユニットが収納される。また、ランプユニットと第１収納容器は第２底面と第２側壁を具備する第２収納容器に収納される。この時、熱伝導性が優秀な金属材質からなる熱伝達部材はランプユニットの電極部を経由して第２収納容器と接触される。ランプユニットから発生された熱は熱伝達部材を通じて第２収納容器に伝達され、第２収納容器から外部に放出される。従って、表示特性を向上させることができるバックライト組立体及びこれを有する液晶表示装置が提供される。
2005528748.tif 000002
【特許請求の範囲】
【請求項１】
光を発生するためのランプユニットと、
第１底面と、前記第１底面の端部から延長された第１側壁を具備し、前記ランプユニットを前記第１側壁と向き合うように収納するための第１収納容器と、
第２底面と、前記第２底面の端部から延長された第２側壁を具備して前記ランプユニットと前記第１収納容器を収納するための第２収納容器と、
前記ランプユニットの電極部に設置され、前記ランプユニットから発生した熱を前記第２収納容器に伝達するための熱伝達部材と、
を含むことを特徴とするバックライト組立体。
【請求項２】
前記ランプユニットは、
ランプチューブと、前記ランプチューブの両端部にそれぞれ形成された第１及び第２電極を具備し、前記光を発生するためのランプと、
前記ランプをカバーして前記光を一方向に反射させるためのランプ反射板と、を含むことを特徴とする請求項１記載のバックライト組立体。
【請求項３】
前記熱伝達部材は、
前記第１電極部に対応する前記ランプ反射板の外側面と接触し、前記第２収納容器と接触する第１金属板と、
前記第２電極部に対応する前記ランプ反射板の外側面と接触し、前記第２収納容器と接触する第２金属板と、を含むことを特徴とする請求項２記載のバックライト組立体。
【請求項４】
前記ランプ反射板は、ポリエチレン・テレフタレート（ＰＥＴ）からなることを特徴とする請求項２記載のバックライト組立体。
【請求項５】
前記第２収納容器は、アルミニウムまたはアルミニウム合金からなることを特徴とする請求項４記載のバックライト組立体。
【請求項６】
前記熱伝達部材は、アルミニウムまたはアルミニウム合金からなることを特徴とする請求項５記載のバックライト組立体。
【請求項７】
前記ランプユニットは、
第１ランプチューブと、前記第１ランプチューブの両端部にそれぞれ形成された第１及び第２電極を具備し、前記光を発生するための第１Ｌ型ランプと、
前記第１Ｌ型ランプをカバーして前記光を一方向に反射するための第１ランプ反射板と、
第２ランプチューブと、前記第２ランプチューブの一端部に形成され前記第１電極と向き合う第３電極と、前記第２ランプチューブの他端部に形成され前記第２電極と向き合う第４電極とを具備して前記光を発生する第２Ｌ型ランプと、
前記第２Ｌ型ランプをカバーし前記光を一方向に反射するための第２ランプ反射板と、
を含むことを特徴とする請求項１記載のバックライト組立体。
【請求項８】
前記熱伝達部材は、
前記第１電極部に対応する前記第１ランプ反射板の外側面と接触し、前記第２収納容器の第２底面と接触する第１金属板と、
前記第２電極部に対応する前記第１ランプ反射板の外側面と接触し、前記第２底面と接触する第２金属板と、
前記第３電極部に対応する前記第２ランプ反射板の外側面と接触し、前記第２底面と接触する第３金属板と、
前記第４電極部に対応する前記第２ランプ反射板の外側面と接触し、前記第２底面と接触する第４金属板と、を含むことを特徴とする請求項６記載のバックライト組立体。
【請求項９】
前記第１ないし第４金属板それぞれは、
第１側壁面と、
前記第１側壁面の一端部から第１方向に延長された第１上部面と、
前記一端部と向き合う前記第１側壁面の他端部から前記第１方向と反対方向である第２方向に延長された第３底面と、を含むことを特徴とする請求項８記載のバックライト組立体。
【請求項１０】
前記第１収納容器は、
前記第１側壁から延長されて前記第１上部面と向き合う第２上部面をさらに含み、
前記第２上部面には第１結合孔が形成され、前記第１結合孔と対応して前記第１上部面には第１結合突起が形成されることを特徴とする請求項９記載のバックライト組立体。
【請求項１１】
前記第３底面には第２結合孔が形成され、前記第２結合孔と対応して前記第２底面には第２結合突起が形成されることを特徴とする請求項９記載のバックライト組立体。
【請求項１２】
前記熱伝達部材は、
前記第１及び第３電極部に対応する前記第１及び第２ランプ反射板の外側面と接触し、前記第２収納容器と接触する第１金属板と、
前記第２及び第４電極部に対応する前記第１及び第２ランプ反射板の外側面と接触し、前記第２収納容器と接触する第２金属板と、を含むことを特徴とする請求項７記載のバックライト組立体。
【請求項１３】
前記第１及び第２金属板それぞれは、
第１上部面と第２上部面とが一体に形成されたＬ型上部面と、
前記第１上部面から延長された第１側壁面と、
前記第２上部面から延長され、前記第１側壁面と所定の間隔に離隔して形成された第２側壁面と、
前記第１側壁面から折曲された第１底面と、
前記第２側壁面から折曲された第２底面と、を含むことを特徴とする請求項１２記載のバックライト組立体。
【請求項１４】
光を発生するためのランプユニットと、
第１底面と、前記第１底面の端部から延長された第１側壁を具備し、前記ランプユニットを前記第１側壁と向き合うように収納するための第１収納容器と、
第２底面と前記第２底面の端部から延長された第２側壁からなり、前記ランプユニット及び収納容器を収納するための第２収納容器と、
前記ランプユニットの電極部に設置され、前記ランプユニットから発生された熱を前記第２収納容器に伝達するための熱伝達部材と、
前記光の提供を受け、前記光に応答して映像を表示するための液晶表示パネルと、
を含むことを特徴とする液晶表示装置。
【請求項１５】
前記ランプユニットは、
第１ランプチューブと、前記第１ランプチューブの両端部にそれぞれ形成された第１及び第２電極を具備し、前記光を発生するための第１Ｌ型ランプと、
前記第１Ｌ型ランプをカバーして前記光を一方向に反射させるための第１ランプ反射板と、
第２ランプチューブと、前記第２ランプチューブの一端部に形成され前記第１電極と向き合う第３電極と、前記第２ランプチューブの他端部に形成され前記第２電極と向き合う第４電極とを具備して前記光を発生する第２Ｌ型ランプと、
前記第２Ｌ型ランプをカバーして前記光を一方向に反射させるための第２ランプ反射板と、を含むことを特徴とする請求項１４記載の液晶表示装置。
【請求項１６】
前記第１収納容器の第１側壁には前記第１ないし第４電極部に対応して第１ないし第４開口部が形成されたことを特徴とする請求項１５記載の液晶表示装置。
【請求項１７】
前記熱伝達部材は、
前記第１電極部に対応する前記ランプ反射板の外側面と接触し、前記第１開口部を通じて前記第２収納容器の第２側壁と接触する第１金属板と、
前記第２電極部に対応する前記ランプ反射板の外側面と接触し、前記第２開口部を通じて前記第２側壁と接触する第２金属板と、
前記第３電極部に対応する前記ランプ反射板の外側面と接触し、前記第３開口部を通じて前記第２側壁と接触する第３金属板と、
前記第４電極部に対応する前記ランプ反射板の外側面と接触し、前記第４開口部を通じて前記第２側壁と接触する第４金属板と、を含むことを特徴とする請求項１６記載の液晶表示装置。
【請求項１８】
前記第１及び第２ランプ反射板それぞれは、ポリエチレン・テレフタレート（ＰＥＴ）からなることを特徴とする請求項１５記載の液晶表示装置。
【発明の詳細な説明】
【技術分野】
【０００１】
本発明はバックライト組立体及びこれを有する液晶表示装置に関し、さらに詳細には表示特性を向上させることができるバックライト組立体及びこれを有する液晶表示装置に関する。
【背景技術】
【０００２】
一般的に、情報処理装置で処理された情報を使用者が肉眼で確認するためにはインターフェースの役割をする表示装置を必要とする。最近、代表的なＣＲＴ方式の表示装置に比べて、軽量、小型であり、かつ、フルカラー、高解像度具現などのような機能有する液晶表示装置の開発が行われた。その結果、液晶表示装置は代表的な情報処理装置であるコンバーターのモニター、家庭用壁掛けテレビ、その他の情報処理装置の表示装置として幅広く使われるようになった。
図１は一般的な液晶表示装置を示す分解斜視図である。
図１に示すように、モールドフレーム１０の両側部にはそれぞれ第１及び第２収納空間が用意されている。前記第１及び第２収納空間にはそれぞれ複数のランプで構成された第１ランプ部１６及び第２ランプ部１８が収納される。前記第１及び第２ランプ部１６、１８と前記モールドフレーム１０との間には前記第１及び第２ランプ部１６、１８からの光を反射させるための第１及び第２ランプカバー１２、１４が前記第１及び第２ランプ部１６、１８がそれぞれカバーするように配置される。
【０００３】
前記第１及び第２ランプ部１６、１８の間には前記第１及び第２ランプ部１６、１８からの光を上側にガイドして出射するための導光板２２が収納され、前記導光板２２の下には前記導光板２２から漏洩する光を再度反射するための反射板２０が設置される。
また、前記導光板２２の上面には前記導光板２２から出射された光の輝度特性を制御するための光学シート２６が設置され、前記光学シート２６の上面には前記光学シート２６から提供される光に応答して映像を表示するための表示ユニット２８が設置される。
一方、前記モールドフレーム１０は前記表示ユニット２８の有効画面領域が露出されるように底面が開口されたトップシャーシ３０と対向して結合し前記表示ユニット２８をガイドする。
【０００４】
このようにランプから発生された光を利用して映像を表示する液晶表示装置４０において、前記表示ユニット２８の表示画面が大きくなると、前記表示ユニット２８において映像を表示するのに必要な光の量も共に増加する。すなわち、映像の表示領域に関係なしに記第１及び第２ランプ部１６、１８から前記導光板２２を通じて表示ユニット２８に提供される光が均一な輝度分布を維持するためには液晶表示装置４０の大きさの増加に比例する光量が要求されるのである。
これのために、図１に示されたように、複数のランプを採用した液晶表示装置４０が幅広く使われている。
【０００５】
しかし、映像を表示するのに適切な光量を確保するために前記導光板２２の側面に再置される第１及び第２ランプ部１６、１８のランプの個数を増加させると、前記ランプから発生する熱が増加する。
このように発生された熱は第１及び第２ランプ部１６、１８の周辺部に位置する導光板２２や光学シート２６、表示ユニット２８などに悪影響を与え、液晶表示装置４０の表示特性が低下されるという問題点がある。
【発明の開示】
【発明が解決しようとする課題】
【０００６】
上述した問題点を解決するための本発明の目的は、ランプから発生された熱を外部に放出することができるバックライト組立体を提供することにある。
本発明の他の目的は、このようなバックライト組立体を利用することで表示特性を向上させることができる液晶表示装置を提供することにある。
【課題を解決するための手段】
【０００７】
上述した目的を達成するための本発明によるバックライト組立体は、光を発生するためのランプユニットａ）、第１底面と、前記第１底面の端部から延長された第１側壁を具備し、前記ランプユニットを前記第１側壁と向き合うように収納するための第１収納容器ｂ）、第２底面と、前記第２底面の端部から延長された第２側壁を具備して前記ランプユニットと前記第１収納容器を収納するための第２収納容器ｃ）、前記ランプユニットの電極部に設置され、前記ランプユニットから発生された熱を前記第２収納容器に伝達するための熱伝達部材ｄ）を含む。
【０００８】
上述した他の目的を達成するための本発明による液晶表示装置は、光を発生するためのランプユニットａ）、第１底面と、前記第１底面の端部から延長された第１側壁を具備し、前記ランプユニットを前記第１側壁と向き合うように収納するための第１収納容器ｂ）、第２底面と、前記第２底面の端部から延長された第２側壁からなり、前記ランプユニット及び第１収納容器を収納するための第２収納容器ｃ）、前記ランプユニットの電極部に設置され、前記ランプユニットから発生された熱を前記第２収納容器に伝達するための熱伝達部材ｄ）、前記光の提供を受け、前記光に応答して映像を表示するための液晶表示パネルｅ）を含む。
【発明の効果】
【０００９】
上述したバックライト組立体及びこれを有する液晶表示装置によると、熱伝導性が優秀な金属材質からなる熱伝達部材はランプユニットの電極部を経由してボトムシャーシと接触する。バックライト組立体の動作の際、ランプユニットから発生した熱は熱伝達部材を通じてボトムシャーシに伝達され、前記ボトムシャーシで外部に放出される。
従って、バックライト組立体及びこれを有する液晶表示装置に使用される各種部品がランプユニットから発生される熱によって変形する現象を防止することができる。
また、このような部品は液晶表示装置の表示特性と密接な連関を有し液晶表示装置の表示特性を向上させることができる。
【発明を実施するための最良の形態】
【００１０】
以下、図面を参照して本発明の望ましい一実施形態をより詳細に説明する。
図２は本発明の一実施形態による液晶表示装置を具体的に示す分解斜視図である。図３は図２のＩ−Ｉ’線に沿って切断した断面図であり、図４は図２のII−II’線に沿って切断した断面図である。
図２に示すように、本発明の一実施形態による液晶表示装置６００は、画像信号が印加されて画像を表示するための表示ユニット１００及び前記表示ユニット１００に光を提供するためのバックライト組立体２００を含む。
前記表示ユニット１００は、液晶表示パネル１１０、データ印刷回路基板１２０、ゲート印刷回路基板１３０、データ側テープキャリアパッケージ（以下、ＴＣＰ）１４０、及びゲート側ＴＣＰ１５０を具備する。前記液晶表示パネル１１０は、薄膜トランジスタ（以下、ＴＦＴ）基板１１１、カラーフィルター基板１１３及び液晶（図示せず）を含む。
前記ＴＦＴ基板１１１は、マトリックス状にＴＦＴ（図示せず）が形成されている透明なガラス基板である。前記ＴＦＴのソース端子にはデータラインが連結され、ゲート端子にはゲートラインが連結される。また、ドレイン端子には透明な導電性材質であるインジウムすず酸化物（以下、ＩＴＯ）からなる画素電極が形成される。データライン及びゲートラインに電気的信号を入力すると、それぞれのＴＦＴのソース端子とゲート端子に電気的な信号が入力され、これら電気的な信号の入力によってＴＦＴはターンオンまたはターンオフされて、ドレイン端子には画素形成に必要とされる電気的な信号が出力される。
【００１１】
前記ＴＦＴ基板１１１には対向してカラーフィルター基板１１３が具備されている。前記カラーフィルター基板１１３は、光が通過すると所定の色を発現するＲＧＢ画素が薄膜工程によって形成された基板である。前記カラーフィルター基板１１３の全面にはＩＴＯからなる共通電極が形成されている。
上述したＴＦＴ基板１１１のトランジスタのゲート端子及びソース端子に電力が印加されてＴＦＴがターンオンされると、画素電極とカラーフィルター基板の共通電極との間には電界が形成される。このような電界によって、ＴＦＴ基板１１１とカラーフィルター基板１１３との間に注入された液晶の配列角が変化して、変化した配列角によって光透過度が変更されて所望する画素を得るようになる。
図示したように、前記液晶表示パネル１１０のソース側には、データ駆動信号の印加時期を決めるデータ側ＴＣＰ１４０が設けられており、ゲート側にはゲートの駆動信号の印加時期を決めるためにゲート側ＴＣＰ１５０が設けられている。前記データ印刷回路基板１２０は、前記データ側ＴＣＰ１４０と接続されて前記液晶表示パネル１１０の外部から映像信号の入力を受けて、データラインに駆動信号を印加する。前記ゲート印刷回路基板１３０は前記ゲート側ＴＣＰ１５０と接続されてゲートラインに駆動信号を印加する。
【００１２】
前記バックライト組立体２００は、光を発生する第１ランプユニット２１０と、第２ランプユニット２２０と、前記光を前記表示ユニット１００にガイドする導光板２３０と、前記導光板２３０の上面に載置されて前記導光板２３０からの光の視野角を調節する光学シート２４０と、前記導光板２３０から漏洩した光を前記表示ユニット１００に反射するための反射板２５０を具備する。前記導光板２３０、第１ランプユニット２１０、第２ランプユニット２２０、光学シート２４０及び反射板２５０は、モールドフレーム３００に収納される。
前記導光板２３０は、前記光を出射する出射面２３５、前記出射面２３５と向き合い前記光を反射する反射面２３６、及び前記出射面２３５と前記反射面２３６とを連結し前記光の入射を受ける第１ないし第４側面２３１、２３２、２３３、２３４を具備する。
【００１３】
図２ないし図４に示すように、前記第１ランプユニット２１０は第１Ｌ型ランプ２１１と、前記第１Ｌ型ランプ２１１をカバーする第１ランプ反射板２１３とを具備する。前記第２ランプユニット２２０は第２Ｌ型ランプ２２１と、前記第２Ｌ型ランプ２２１をカバーする第２ランプ反射板２２３とを具備する。前記第１Ｌ型ランプ２１１は前記導光板２３０の第１側面２３１と第２側面２３２の近傍に配置され、前記第２Ｌ型ランプ２２１は前記導光板２３０の第３及び第４側面２３３、２３４の近傍に配置される。
一方、前記第１ランプ反射板２１３は、前記第１Ｌ型ランプ２１１の近傍に設置され前記光を前記導光板２３０に反射する。この時、前記第１ランプ反射板２１３は前記第１Ｌ型ランプ２１１のようにＬ字形状を有する。前記第２ランプ反射板２２３は前記第２Ｌ型ランプ２２１の近傍に設置され前記光を前記導光板２３０に反射する。ここで、前記第１及び第２ランプ反射板２１３、２２３それぞれはポリエチレン・テレフタレート（ＰＥＴ）からなる。
前記液晶表示装置６００は、第１ないし第４金属板２６１、２６２、２６３、２６４を具備し、前記第１及び第２金属板２６１，２６２は前記第１Ｌ型ランプ２１１の両端部と対応する前記第１ランプ反射板２１３の外側面と面接触する。また、前記第３及び第４金属板２６３、２６４は前記第２Ｌ型ランプ２２１の両端部と対応する前記第２ランプ反射板２２３の外側面と面接触する。
【００１４】
ここで、前記第１ないし第４金属板２６１、２６２、２６３、２６４は、前記第１及び第２ランプユニット２１０、２２０から発生する熱を外部に放出するための熱伝達部材である。従って、前記第１ないし第４金属板２６１、２６２、２６３、２６４それぞれは、熱伝導性が優秀なアルミニウムまたはアルミニウム合金のような金属材質からなる。
しかし、前記第１ないし第４金属板２６１、２６２、２６３、２６４は本発明の一実施形態であり、前記熱伝達部材は熱伝導性が優秀な物質、例えばシリコンゲル(silicon gel)からなることができる。
図２ないし図４に示すように、前記モールドフレーム３００は、底面３５０、収納空間を成すように前記底面３５０の端部から延長された４つの側壁３１０、３２０、３３０、３４０及び前記４つの側壁３１０、３２０、３３０、３４０から前記底面３５０と向き合うように延長された４つの上面３６０、３７０、３８０、３９０を具備する。前記収納空間には前記第１ないし第４側壁３１０、３２０、３３０、３４０と前記第１ないし第４側面２３１、２３２、２３３、２３４とが向き合うように前記導光板２３０が収納される。
【００１５】
前記第１及び第２側面２３１、２３２と前記第１側壁及び第２側壁３１０と３２０との間に前記第１ランプユニット２１０が収納される。前記第３及び第４側面２３３、２３４と前記第３及び第４側壁３３０、３４０との間に前記第２ランプユニット２２０が収納される。一方、前記導光板２３０上には前記光学シート２４０が収納される。
前記モールドフレーム３００は、前記反射板２５０、導光板２３０、第１ランプユニット２１０、第２ランプユニット２２０、光学シート２４０、及び第１ないし第４金属板２６１、２６２、２６３、２６４を収納した状態でボトムシャーシ５００に収納される。前記ボトムシャーシ５００は、前記モールドフレーム３００が載置される載置面５５０と、前記載置面５５０の端部から延長されて収納空間を形成し、前記第１ないし第４側壁３１０、３２０、３３０、３４０とそれぞれ向き合う第５ないし第８側壁５１０、５２０、５３０、５４０を具備する。前記第１ないし第４金属板２６１、２６２、２６３、２６４それぞれは、前記ボトムシャーシ５００の載置面５５０に面接触する。
この時、前記ボトムシャーシ５００はアルミニウムまたはアルミニウム合金のような金属材質からなる。従って、前記第１及び第２ランプユニット２１０、２２０から発生された熱は前記第１ないし第４金属板２６１、２６２、２６３、２６４を通じて前記ボトムシャーシ５００に伝達されて外部に放出される。
以後、前記光学シート２４０上には前記表示ユニット１００が載置され、前記ボトムシャーシ５００はトップシャーシ４００と対向して結合する。前記トップシャーシ４００は、前記液晶表示パネル１１０の非有効表示領域を加圧する第５ないし第８上面４１０、４２０、４３０、４４０と、前記第５ないし第８上面４１０、４２０、４３０、４４０から垂直に延長されて前記第５ないし第８側壁５１０、５２０、５３０、５４０とそれぞれ向き合う第９ないし第１２側壁４５０、４６０、４７０、４８０を具備する。従って、前記トップシャーシ４００は、前記表示ユニット１００を前記ボトムシャーシ５００に固定させる。
【００１６】
図５は図２に示された第１金属板２６１の構造を具体的に示す斜視図であり、図６は図２に示された第１及び第２ランプユニット２１０，２２０と第１ないし第４金属板２６１，２６２，２６３，２６４との結合構造を示す図面である。ただ、図５で第１金属板２６１の構造を説明したので、これと等しい構造を有する第２ないし第４金属板２６２，２６３，２６４の構造についての説明を省略する。
図５に示すように、第１金属板２６１は第１側壁面２６１ａと、前記第１側壁面２６１ａの一端部から垂直に延長された第１上部面２６１ｂと、前記一端部と向き合う前記第１側壁面２６１ａの他端部から垂直に延長された第１底面２６１ｃを具備する。ここで、前記第１底面２６１ｃは前記第１上部面２６１ｂが延長された第１方向Ｄ１と反対方向である第２方向Ｄ２に延長される。
図６に示されたように、前記第１ランプユニット２１０は第１Ｌ型ランプ２１１及び第１ランプ反射板２１３を具備し、前記第２ランプユニット２２０は第２Ｌ型ランプ２２１及び第２ランプ反射板２２３を具備する。
【００１７】
前記第１Ｌ型ランプ２１１の両端部には第１及び第２電極（図示せず）が形成されている。この時、前記第１電極が形成された領域を‘第１電極部Ａ’とし、前記第２電極が形成された領域を‘第２電極部Ｂ’と定義する。ここでは前記第１及び第２電極が前記第１Ｌ型ランプ２１１の内部に形成されたことを示したが、前記第１Ｌ型ランプ２１１の外側面に形成されることもできる。
前記第１ランプユニット２１０は、前記第１及び第２電極と電気的に結合され、前記第１Ｌ型ランプ２１１の両端部からそれぞれ引き出された第１及び第２電極線２１４、２１５をさらに具備する。前記第１及び第２電極線２１４、２１５は電力供給装置と結合される第１コネクタ２１９に連結される。前記電力供給装置は前記第１電極線２１４を通じて前記第１Ｌ型ランプ２１１に高電圧を印加し、前記第２電極線２１５を通じて前記第１Ｌ型ランプ２１１に低電圧を印加する。この時、前記第２電極線２１５は前記第１Ｌ型ランプ２１１に沿って長く延長されて前記第１電極線２１４の周りで前記第１コネクタ２１９と結合する。
【００１８】
一方、前記第１Ｌ型ランプ２１１の両端部には、前記第１及び第２電極線２１４、２１５をそれぞれ固定するための第１及び第２ランプホルダー２１６、２１７がそれぞれ配設される。前記第１Ｌ型ランプ２１１に前記第１及び第２ランプホルダー２１６、２１７が配設された状態で、前記第１ランプ反射板２１３に収納される。
ここで、前記第１ランプ反射板２１３は前記第１Ｌ型ランプ２１１と等しいＬ字形状を有する。前記第１ランプ反射板２１３は、前記第１Ｌ型ランプ２１１の一側方を開口させ前記第１Ｌ型ランプ２１１をカバーする。具体的に、前記第１ランプ反射板２１３は第１反射面２１３ａ、前記第１反射面２１３ａの一端部から垂直に延長された第２反射面２１３ｂ、及び前記第２反射面２１３ｂと向き合い、前記一端部と対向する前記第１反射面２１３ａの他端部から延長された第３反射面２１３ｃを具備する。
一方、前記第２ランプユニット２２０は、前記第２Ｌ型ランプ２２１、第２ランプ反射板２２３、第３及び第４電極線２２４、２２５、第３及び第４ランプホルダー２２６、２２７及び第２コネクタ２２９を具備する。前記第２ランプユニット２２０の構造は、前記第１ランプユニット２１０の構造と同一であるのでそれについての説明は省略する。
ただ、前記第２Ｌ型ランプ２２１の両端部には第３及び第４電極が形成され、前記第３電極が形成された領域は第３電極部Ｃと定義され、前記第４電極は形成された領域を第４電極部Ｄと定義される。
【００１９】
ここで、前記第１及び第２ランプユニット２１０、２２０は、前記第１Ｌ型ランプ２１１に配設された第１ランプホルダー２１６と前記第２Ｌ型ランプ２２１に配設された前記第３ランプホルダー２２６が隣接するように配置され、前記第１Ｌ型ランプ２１１に介在された第２ランプホルダー２１７と前記第２Ｌ型ランプ２２１の第４ランプホルダー２１７が隣接するように配置される。従って、前記第１及び第２ランプユニット２１０、２２０は一つの四角フレームを形成する。
前記第１及び第２金属板２６１、２６２は前記第１Ｌ型ランプ２１１の第１及び第２電極部Ａ、Ｂにそれぞれ対応する前記第１ランプ反射板２１３の外側面をカバーする。また、前記第３及び第４金属板２６３、２６４は前記第２Ｌ型ランプ２２１の第３及び第４電極部Ｃ、Ｄにそれぞれ対応する前記第２ランプ反射板２２３の外側面をカバーする。
図３及び図６に示すように、前記第１金属板２６１の第１側壁面２６１ａは前記第１反射面２１３ａと面接触し、前記第１上部面２６１ｂは前記第２反射面２１３ｂと面接触する。また、前記第１底面２６１ｃは前記ボトムシャーシ５００の載置面５５０と面接触する。これにより、前記第１金属板２６０は前記第１Ｌ型ランプ２１１から発生された熱を前記ボトムシャーシ５００に伝達する。
【００２０】
この時、前記第１底面２６１ｃの幅ｗは前記モールドフレーム３００の第１側壁３１０の厚さと等しいことが望ましい。すなわち、前記第１底面２６１ｃの幅ｗを前記第１側壁３１０の厚さｔより大きく形成すると、前記載置面５５０との接触面積が広くなり熱伝達率が上昇する。しかし、前記第１底面２６１ｃの幅ｗが増加される分だけ前記液晶表示装置６００の大きさも増加される。
一方、前記第１底面２６１ｃの幅ｗを前記第１側壁３１０の厚さＴより小さく形成すると、前記液晶表示装置６００の大きさが増加されることを防止することはできる。しかし、前記載置面５５０との接触面積が細くなり、熱伝達率の減少するという問題が発生する。従って、前記第１底面２６１ｃの幅ｗを前記第１側壁３１０の厚さｔと同一に形成することが望ましい。
図７及び図８は本発明の他の実施形態による金属板の形状及びこれの結合構造を具体的に示す図面である。ただ、図７及び図８で前記第１金属板の構造を提示することで、これと同一の構造を有する第２ないし第４金属板の構造についての説明を省略する。
図７に示すように、第１金属板２７０は第１側壁面２７１と、前記第１側壁面２７１の一端部から垂直に延長された第１上部面２７２と、前記一端部と向き合う前記第１側壁面２７１の他端部から垂直に延長された第１底面２７３とを具備する。ここで、前記第１底面２７３は前記第１上部面２７２が延長された第１方向Ｄ１と反対方向である第２方向Ｄ２に延長される。前記第１上部面２７２には第１結合孔２７２ａが形成され、前記第１底面２７３には第２結合孔２７３ａが形成される。
【００２１】
図７及び図８に示されたように、前記第１金属板２７０が前記第１ランプユニット２１０に結合されると、前記第１側壁面２７１は前記第１ランプ反射板２１３の第１反射面２１３ａと面接触し、前記第１上部面２７２は前記第１ランプ反射板２１３の第２反射面２１３ｂと面接触する。以後、第１ランプユニット２１０がモールドフレーム３００に収納され、前記モールドフレーム３００はボトムシャーシ５００に収納される。この時、前記モールドフレーム３００の第１上面３６０には前記第１結合孔２７２ａに対応して第１結合突起３６１が形成され、前記ボトムシャーシ５００の載置面５５０には前記第２結合孔２７３ａに対応して第２結合突起５５１が形成される。
従って、前記第１結合突起３６１が前記第１結合孔２７２ａに介在されることによって前記第１金属板２７０は前記モールドフレーム３００に固定され、前記第２結合突起５５１が前記第２結合孔２７３ａに介在されることによって、前記第１金属板２７０は前記ボトムシャーシ５００に固定される。
【００２２】
図９及び図１０は本発明更に他の実施形態による金属板の形状及び結合構造を具体的に示す図面である。ただ、図９及び図１０で前記第１金属板の構造を提示することで、これと同一の構造を有する第２ないし第４金属板の構造についての説明を省略する。
図９に示すように、第１金属板２７５は第１側壁面２７５ａと、前記第１側壁面２７５ａの一端部から垂直に延長された第１上部面２７５ｂと、前記一端部と向き合う前記第１側壁面２７５ａの他端部から垂直に延長された第１底面２７５ｃとを具備する。ここで、前記第１底面２７５ｃは前記第１上部面２７５ｂが延長された第１方向Ｄ１と反対方向である第２方向Ｄ２に延長される。また、前記第１金属板２７５は、前記第１底面２７５ｃの端部から垂直に延長され前記第１側壁面２７５ｂと向き合う第２側壁面２７５ｄをさらに具備する。
図９及び図１０に示すように、第１金属板２７５の第１側壁面２７５ａは前記第１ランプ反射板２１３の第１反射面２１３ａと面接触し、第１上部面２７５ｂは第２反射面２１３ｂと面接触する。また、前記第１底面２７５ｃは前記ボトムシャーシ５００の載置面５５０と面接触し、前記第２側壁面２７５ｄは前記ボトムシャーシ５００の第５側壁５１０と面接触する。
【００２３】
従って、前記第１金属板２７５は前記第２側壁面２２７５ｄをさらに具備することで、前記ボトムシャーシ５００との接触面積が増加され、それにより熱伝達率が上昇されて前記第１ランプユニット２１０からの熱をさらに効果的に外部に放出させることができる。
この時、前記モールドフレーム３００の第１側壁３１０には前記第２側壁面２７５ｄを収納するための収納溝３１１が形成される。具体的に、前記第１側壁３１０のうち、前記第２側壁面２７５ｄと面接触する部分に対応して相対的にフレームの厚さを薄く形成して前記収納溝３１１を形成する。従って、前記第１金属板２７５が前記第２側壁面２７５ｄをさらに具備しても前記第２側壁面２７５ｄが前記収納溝３１１に収納されるので、前記第２側壁面２７５ｄによって前記液晶表示装置６００の全体的な大きさが増加されることを防止することができる。
図１１及び図１２は本発明の更に他の実施形態による金属板の形状及びこれの結合構造を示す図面である。図１１及び図１２を参照して第５金属板の結合構造を説明することでこれと同一の構造を有する第６金属板についての説明は省略する。
【００２４】
図１１及び図１２に示すように、液晶表示装置は第１及び第２ランプユニット２１０、２２０の電極部にそれぞれ設置される第５及び第６金属板２８０、２９０を具備する。この時、前記第１ランプユニット２１０の第１電極部Ａは前記第２ランプユニット２２０の第３電極部Ｃと向き合い、第１ランプユニット２１０の第２電極部Ｂは前記第２ランプユニット２２０の第４電極部Ｄと向き合う。これにより、前記第１及び第２ランプユニット２１０、２２０は一つの四角フレーム形状を成す。
この時、前記第５金属板２８０は前記第１ランプユニット２１０の第１電極部Ａと、前記第２ランプユニット２２０の第３電極部Ｃを覆うように配置される。また、前記第６金属板２９０は前記第１ランプユニット２１０の第２電極部Ｂと、前記第２ランプユニット２２０の第４電極部Ｄを覆うように配置される。
【００２５】
具体的に、前記第５金属板２８０は第２上部面２８１ａと第３上部面２８１ｂとが一体に形成されたＬ字形状の上部面２８１と、前記第２上部面２８１ａの一端部から延長された第３側壁面２８２と、前記第３上部面２８１ｂの一端部から延長された第４側壁面２８３と、前記第３側壁面２８２から折曲された第２底面２８４と、前記第４側壁面２８３から折曲された第３底面２８５とを含む。
ここで、前記第２上部面２８１ａは前記第１ランプ反射板２１３の第２反射面２１３ｂに接触され、第３側壁面２８２は前記第１ランプ反射板２１３は第１反射面２１３ａに接触される。また、前記第２底面２８４は前記第１ランプ反射板２１３の第３反射面２１３ｃに接触されると同時に前記ボトムシャーシ５００の載置面５５０に接触される。
【００２６】
これと同様に、前記第３上部面２８１ｂは前記第２ランプ反射板２２３の第５反射面２２３ｂに接触され、第４側壁面２８３は前記第２ランプ反射板２２３の第４反射面２２３ａに接触される。また、前記第３底面２８５は前記第２ランプ反射板２２３の第６反射面２２３ｃに接触されると同時に前記ボトムシャーシ５００の載置面５５０に接触される。
前記第５金属板２８０の第３側壁面２８２と第４側壁面２８３は所定の間隔に離隔されている。このような離隔空間は前記第１及び第２ランプユニット２１０、２２０から引き出される電力供給ライン（図示せず）を外部に引き出すために用意された空間である。
ここでは前記第５金属板２８０の第２底面２８４と第３底面２８５とが所定の間隔に離隔されたのを示した。しかし、前記第２底面２８４と第３底面２８５とが一体に形成されることができる。従って、前記第５金属板２８０とボトムシャーシ５００の載置面５５０との接触面積をさらに広く確保することができる。
図１３は本発明の更に他の実施形態によるモールドフレームの構造を示す斜視図であり、図１４は図１３に示されたモールドフレームに第７ないし第１０金属板が結合された構造を示す図面である。
【００２７】
図１３に示すように、モールドフレーム７００は底面７５０、収納空間を成すように前記底面７５０の端部から延長された第１ないし第４側壁７１０、７２０、７３０、７４０及び前記第１ないし第４側壁７１０、７２０、７３０、７４０から前記底面７５０と向き合うように延長された第１ないし第４上面７６０、７７０、７８０、７９０で構成される。
この時、前記第１側壁７１０と前記第３側壁７３０とが接する第１角領域Ｅと前記第２側壁７２０と前記第４側壁７４０とが接する第２角領域Ｆで、前記底面７５０がそれぞれ切断されている。また、前記第１角領域Ｅで前記第１側壁７１０には第１開口部７１１が形成され、前記第３側壁７３０には第２開口部７３１が形成される。一方、前記第２角領域Ｆで前記第２側壁７２０には第３開口部（図示せず）が形成され、前記第４側壁７４０には第４開口部（図示せず）が形成される。
前記モールドフレーム７００には前記第７ないし第１０金属板８１０、８２０、８３０、８４０がそれぞれ収納される。具体的に、前記第７金属板８１０は前記第１開口部７１１を通じて収納されて前記第１上面７６０と面接触し、前記第８金属板８２０は前記第３開口部を通じて収納されて前記第２上面７７０と面接触する。また、前記第９金属板８４０は前記第２開口部７３１を通じて収納されて前記第３上面７８０と面接触し、前記第１０金属板８４０は前記第４開口部を通じて収納されて前記第４上面７９０に面接触する。
図１４に示されたように、前記第７金属板８１０は第１側壁面８１１及び前記第１側壁面８１１の一端部から垂直に延長された第１上部面８１２を有する。また、前記第９金属板８３０は第２側壁面８３１及び前記第２側壁面８３１の一端部から垂直に延長された第２上部面８３２を具備する。
以後、前記モールドフレーム７００に前記第７及び第９金属板８１０、８３０が収納されると、前記第１上部面８１２は前記第１上面７６０と面接触し、第２上部面８３２は第３上面７８０と面接触する。また、前記第１側壁面８１１は前記第１開口部７１１を通じて露出され、前記第２側壁面８３１は前記第２開口部７３１を通じて露出されている。
【００２８】
図１５は図１４のIII−III’線に沿って切断した断面図であり、図１６は図１４のIV−IV’線に沿って切断した断面図である。
図１５及び図１６に示すように、モールドフレーム７００には第１及び第２ランプユニット２１０、２２０が収納される。具体的に、前記第１ランプユニット２１０は第１Ｌ型ランプ２１１及び第１ランプ反射板２１３を具備し、前記第２ランプユニット２２０は第２Ｌ型ランプ２２１及び第２ランプ反射板２２３を具備する。
ここで、前記第１ランプ反射板２１３は前記第１Ｌ型ランプ２１１と同一のＬ字形状を有する。前記第１ランプ反射板２１３は前記第１Ｌ型ランプ２１１の一側を開口させ前記第１Ｌ型ランプ２１１をカバーする。
具体的に、前記第１ランプ反射板２１３は第１反射面２１３ａ、前記第１反射面２１３ａの一端部から垂直に延長された第２反射面２１３ｂ、及び前記第２反射面２１３ｂと向き合い、前記一端部と対向する前記第１反射面２１３ａの他端部から延長された第３反射面２１３ｃを具備する。
【００２９】
また、前記第２ランプ反射板２２３は第４反射面２２３ａ、前記第４反射面２２３ａの一端部から垂直に延長された第５反射面２２３ｂ、及び前記第５反射面２２３ｂと向き合い、前記一端部と対向する前記第５反射面２２３ａの他端部から延長された第６反射面２２３ｃを具備する。
従って、前記第１及び第２ランプユニット２１０、２２０が前記モールドフレーム７００に収納されると、前記第１ランプ反射板２１３の第１反射面２１３ａは前記第７金属板８１０の第１側壁面８１１と面接触し、前記第２反射面２１３ｂは前記第１上部面８１２と面接触する。また、前記第２ランプ反射板２２３の第４反射面２２３ａは前記第９金属板８３０の第２側壁面８３１と面接触し、前記第５反射面２２３ｂは前記第２上部面８３２と面接触する。以後、前記モールドフレーム７００には反射板２５０、導光板２３０及び光学シート類２４０が順次に収納される。
一方、前記モールドフレーム７００はこれらを収納した状態で前記ボトムシャーシ５００に収納される。
【００３０】
図１５及び図１６に示されたように、前記モールドフレーム７００が前記ボトムシャーシ５００に収納されると、前記第７金属板８１０の第１側壁面８１１は前記ボトムシャーシ５００の第５側壁５１０と面接触し、前記第９金属板８３０の第２側壁面８３１は前記ボトムシャーシ５００の第７側壁５３０と面接触する。
このように、前記第７金属板８１０は前記第１ランプ反射板２１３及び第５側壁５１０とそれぞれ接触して、前記第１Ｌ型ランプ２１１から発生される熱を前記ボトムシャーシ５００に伝達する。また、前記第９金属板８３０は前記第２ランプ反射板２２３及び第７側壁５３０とそれぞれ接触して、前記第２Ｌ型ランプ２２１から発生した熱を前記ボトムシャーシ５００に伝達する。
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３１】
【図１】従来の液晶表示装置を示す分解斜視図である。
【図２】本発明の望ましい一実施形態による液晶表示装置を具体的に示す分解斜視図である。
【図３】図２に示されたＩ‐Ｉ’線に沿って切断した断面図である。
【図４】図２に示されたII‐II’線に沿って切断した断面図である。
【図５】図３及び図４に示された第１金属板の構造を具体的に示す図面である。
【図６】図５に示された第１ないし第４金属板の結合構造を示す斜視図である。
【図７】本発明の他の実施形態による金属板の形状を具体的に示す斜視図である。
【図８】図７に示された金属板の結合構造を示す断面図である。
【図９】本発明のまたの他の実施形態による金属板の形状を具体的に示す斜視図である。
【図１０】図９に示された金属板の結合構造を示す断面図である。
【図１１】本発明のまたの他の実施形態による金属板の形状及び結合構造を具体的にす図面である。
【図１２】本発明のまたの他の実施形態による金属板の形状及び結合構造を具体的に示す図面である。
【図１３】本発明のまたの他の実施形態によるモールドフレーム及び金属板の結合構造を示す斜視図である。
【図１４】図１３に示されたモールドフレームに金属板が結合された状態を示す部分切開斜視図である。
【図１５】図１４のIII‐III’線に沿って切断した断面図である。
【図１６】図１４のIV‐IV’線に沿って切断した断面図である。
【符号の説明】
【００３２】
１００      表示ユニット
２００      バックライト組立体
２１０      第１ランプユニット
２１１      第１Ｌ型ランプ
２１３      第１ランプ反射板
２２０      第２ランプユニット
２２３      第２Ｌ型ランプ
２２３      第２ランプ反射板
２６１、２６２、２６３、２６４      第１ないし第４金属板
４００      トップシャーシ
５００      ボトムシャーシ
６００      液晶表示装置
【図１】
2005528748.tif 000003
【図２】
2005528748.tif 000004
【図３】
2005528748.tif 000005
【図４】
2005528748.tif 000006
【図５】
2005528748.tif 000007
【図６】
2005528748.tif 000008
【図７】
2005528748.tif 000009
【図８】
2005528748.tif 000010
【図９】
2005528748.tif 000011
【図１０】
2005528748.tif 000012
【図１１】
2005528748.tif 000013
【図１２】
2005528748.tif 000014
【図１３】
2005528748.tif 000015
【図１４】
2005528748.tif 000016
【図１５】
2005528748.tif 000017
【図１６】
2005528748.tif 000018
【国際調査報告】
2005528748.tif 000019
2005528748.tif 000020